(57)【要約】【課題】正当な施解錠者にとっては簡単な操作でキャップカバーを開けられる一方、不正に悪戯しようとする者に対しては、たとえ気付かれても、簡単には開けられず、それによって鍵錠に対する悪戯を効果的に防止する鍵錠用キャップを提供する。【解決手段】キャップベース１５には、キャップカバー側上向きにピン挿通口１８をあけたガイド穴１７と、ガイド穴と一端側が連通する一方、他端側を周縁部に向けてあけて専用の施解錠キー３０の挿入口１９ａを形成した細軸差込み穴１９を設け、ガイド穴１７内に、基部側に係止凸部３５ｂを有する磁性体のストッパピン３５を、その頭部３５ａをピン挿通口１８から出没可能に遊嵌する。キャップカバー２０には、それを閉めてキャップベース上に重ねたとき、ピン挿通口１８と連通する位置に下向きにピン受け口２１をあけたピン係合凹部２０ｃを設け、ピン係合凹部内にストッパピン３５の頭部を吸着する磁石４０を嵌着する。【選択図】          図１
2005273189.tif 000002
【特許請求の範囲】
【請求項１】
鍵錠上に、その鍵穴に鍵操作穴を連通させて固定するキャップベースと、該キャップベースに回動可能に連結して前記鍵操作穴を開閉するキャップカバーとからなり、該キャップカバーを開方向に回動したとき、前記鍵操作穴を開放して前記鍵穴を外部に臨ませる鍵錠用キャップにおいて、
前記キャップベースには、
前記キャップカバー側上向きにピン挿通口をあけたガイド穴と、そのガイド穴と一端側が連通する一方、他端側を周縁部に向けてあけて外部操作部材の挿入口を形成した細軸差込み穴を設け、前記ガイド穴内に、基部側に係止凸部を有する磁性体のストッパピンを、その頭部を前記ピン挿通口から出没可能に遊嵌する一方、
前記キャップカバーには、
それを閉めて前記キャップベース上に重ねたとき、前記ピン挿通口と連通する位置に下向きにピン受け口をあけたピン係合凹部を設け、該ピン係合凹部内に、前記ストッパピンの頭部を吸着する磁石を嵌着してなることを特徴とする、鍵錠用キャップ。
【請求項２】
前記外部操作部材が先端に細軸部を有する前記鍵錠に専用の施解除キーで、その施解除キーの細軸部が抜き差し可能な穴形状に前記細軸差込み穴を形成してなることを特徴とする、請求項１に記載の鍵錠用キャップ。
【発明の詳細な説明】
【技術分野】
【０００１】
本発明は、シリンダ錠等の鍵錠に取り付けて鍵穴隠し具として使用するのに好適な鍵錠用キャップに関する。
【背景技術】
【０００２】
従来、この種の鍵錠用キャップは、一般に図５に示すように、鍵錠１上に、鍵穴１ａと鍵操作穴２ａを連通させて取り付ける略リング状のキャップベース２と、キャップベース２に回動可能に連結して鍵操作穴２ａを開閉する円形蓋状のキャップカバー３とで構成されている。そして、非施解錠時は、鍵穴１ａの防塵や防水のため、或いは鍵穴１ａを不正に悪戯されないように、図示の如くキャップカバー３をキャップベース２上に重ねて鍵穴１ａを隠している。一方、専用の施解錠キーを用いて施解錠操作するときは、キャップカバー３を開方向に回して鍵操作穴２ａを開放し、外部に鍵穴１ａを臨ませている。
【発明の開示】
【発明が解決しようとする課題】
【０００３】
ところが、従来の鍵錠用キャップは、鍵穴１ａをキャップカバー３で隠し、通常は、鍵錠１の存在に容易に気付かれないようになっているが、キャップカバー３をキャップベース２に対し回動操作するだけで、簡単に開けられる構造になっているため、意識的に鍵穴１ａに異物を詰めたりして不正に悪戯しようとする者に対しては、鍵錠１の存在に気付かれてしまうと、簡単且つ瞬時に開けられるため、悪戯を防止しきれないという課題があった。
【０００４】
そこで、本発明の目的は、正当な施解錠者にとっては簡単な操作でキャップカバーを開けられる一方、不正に悪戯しようとする者に対しては、たとえ気付かれても、簡単には開けられず、それによって鍵錠に対する悪戯を効果的に防止する鍵錠用キャップを提供することにある。
【課題を解決するための手段】
【０００５】
上記した発明の目的を達成すべく、請求項１に記載の発明は、たとえば以下に示す図示実施の形態のとおり、鍵錠Ｂ上に、その鍵穴１３に鍵操作穴１６を連通させて固定するキャップベース１５と、該キャップベース１５に回動可能に連結して前記鍵操作穴１６を開閉するキャップカバー２０とからなり、該キャップカバー２０を開方向に回動したとき、前記鍵操作穴１６を開放して前記鍵穴１３を外部に臨ませる鍵錠用キャップＡにおいて、前記キャップベース１５には、前記キャップカバー側上向きにピン挿通口１８をあけたガイド穴１７と、そのガイド穴１７と一端側が連通する一方、他端側を周縁部に向けてあけて外部操作部材の挿入口１９ａを形成した細軸差込み穴１９を設け、前記ガイド穴１７内に、基部側に係止凸部３５ｂを有する磁性体のストッパピン３５を、その頭部３５ａを前記ピン挿通口１８から出没可能に遊嵌する一方、前記キャップカバー２０には、それを閉めて前記キャップベース１５上に重ねたとき、前記ピン挿通口１８と連通する位置に下向きにピン受け口２１をあけたピン係合凹部２０ｃを設け、該ピン係合凹部２０ｃ内に、前記ストッパピン３５の頭部３５ａを吸着する磁石４０を嵌着してなることを特徴とする。
【０００６】
請求項２に記載の発明は、請求項１に記載の鍵錠用キャップＡにおいて、たとえば以下に示す図示実施の形態のとおり、前記外部操作部材が先端に細軸部３０ａを有する前記鍵錠Ｂに専用の施解除キー３０で、その施解除キー３０の細軸部３０ａが抜き差し可能な穴形状に前記細軸差込み穴１９を形成してなることを特徴とする。
【発明の効果】
【０００７】
請求項１に記載の発明では、非施解錠時は、キャップカバーを閉めてキャップベース上に重ね合わせ、鍵操作穴を塞いで鍵穴を隠している。このようにキャップカバーを閉めれば、磁石がストッパピンを吸着し、その頭部をピン係合凹部に係合させてキャップカバーの開閉を自動的にロックすることができる。一方、施解錠時は、予め用意したピンなどの外部操作部材を、その挿入口から細軸差込み穴内に差し込んでストッパピンの係止凸部に係止させ、ストッパピンを磁石に抗して押し下げ、頭部をピン係合凹部から外してロック解除する。そうすれば、キャップカバーを簡単に回して鍵穴を外部に臨ませることができる。従って、請求項１に記載の発明によれば、正当な施解錠者にとっては、簡単な操作でキャップカバーを開けることができる一方、不正に悪戯しようとする者に対しては、たとえ鍵錠に気付かれても、ロック状態で閉止したキャップカバーを、外部操作部材を用いないで、不正に回して開けようとしても、到底、簡単には開けることはできない。仮に、外部操作部材として、鍵錠周辺にて細いピンや軸などを手に入れ、斯かる外部操作部材を代用して、これを細軸差込み穴に差し込んで解除操作しない限り、キャップカバーを開けることはできない。周辺に、そのような代用品があるという限定的な条件下で、しかも面倒で時間のかかる不正行為をしない限り、キャップカバーを回して開けられないので、それだけ鍵錠への悪戯を効果的に防止することができる。
【０００８】
加えて、請求項２に記載の発明によれば、専用施解錠キーの保持者が施解錠操作する場合は、別途に、いちいち外部操作部材を用意して所持する必要がなく、そのまま同じ専用施解錠キーを使い、先端の細軸部を細軸差込み穴に差し込んで解除操作するだけで、キャップカバーのロック状態が解除され、簡単にキャップカバーを開けることができる。
【発明を実施するための最良の形態】
【０００９】
以下、図面を参照しつつ、本発明の実施の形態について説明する。
【００１０】
図１は、本発明の鍵錠用キャップの一例を示す拡大縦断面図である。図２は鍵錠用キャップを鍵錠に取り付け状態で示す斜視図、図３は平面図である。本発明の鍵錠用キャップの全体を図中符号Ａで示す。鍵錠用キャップＡは、図示例では、たとえばシリンダ錠からなる鍵錠Ｂに組み付けて使用する。鍵錠Ｂは、周知のシリンダ錠で、デットボルト１０を出没自在に組み込んだ錠ケース１１と、錠ケース１１上に固定したシリンダ１２を備え、シリンダ１２の上面から鍵穴１３を臨ませた構造になっている。
【００１１】
鍵錠用キャップＡは、共に、たとえば亜鉛ダイカスト製のキャップベース１５とキャップカバー２０とからなる。キャップベース１５は、全体に略リング状に成形された本体部１５ａを有し、本体部１５ａの図１中底部側にシリンダ１２の外形状に合わせて円形な嵌付凹部１５ｂを設け、更に嵌付凹部１５ｂから図１中上向きに貫通させて円形の鍵操作穴１６を設けてなる。鍵操作穴１６は、後述するとおり、シリンダ１２上にキャップベース１５を取り付けたとき、鍵穴１３と中心が一致する同軸位置にあけている。この本体部１５ａには、鍵操作穴１６を中心として、片側に回動支点の支軸部１５ｃを設け、支軸部１５ｃと対称な反対側にガイド穴１７を設けてなる。
【００１２】
ガイド穴１７は、本体部１５ａの厚さ方向に貫通し、図１中下側の穴部１７ａより上側の穴部１７ｂを一段細径に穿設され、その上側穴部１７ｂに上向きに開口するピン挿通口１８を有する穴形状になっている。更に、本体部１５ａには、ガイド穴１７の下側穴部１７ａと一端側を連通させた細軸差込み穴１９を穿設してなる。細軸差込み穴１９は、反対の他端側を、本体部周縁の上角部１５ｄに向けて開口させ、そこに外部操作部材３０の挿入口１９ａを設けた穴形状になっている。図示例において、外部操作部材３０は、先端に細軸部３０ａを有した鍵錠Ｂに専用の施解除キーである。したがって、細軸差込み穴１９は、施解除キー３０の細軸部３０ａに合わせて、それを抜き差し可能な細い穴径の隠し穴で形成してなる。
【００１３】
斯かる構成のキャップベース１５には、ガイド穴１７にストッパピン３５を組み込んでいる。ストッパピン３５は、磁性体の金属からなり、細径な丸軸状頭部３５ａに対し基部を一段太径に形成し、そこに環状に突出する係止凸部３５ｂを設けてなる。斯かるストッパピン３５は、ガイド穴１７内へ下側穴部１７ａから挿入してから、その下側穴部１７ａの入口をピン蓋１４で塞いで組み込む。そして、頭部３５ａをピン挿通口１８から出没自在にガイド穴１７内に遊嵌してなる。
【００１４】
一方、キャップカバー２０は、キャップベース１５の外形状に合わせて、図中下側の裏面外周縁に環状リブ２０ａを有した、全体に円形キャップ状をなす。そして、環状リブ２０ａの片側に、キャップベース１５の支軸部１５ｃと対応する回動支点の連結凹部２０ｂを設け、連結凹部２０ｂと対称な反対側には、ガイド穴１７のピン挿通口１８と対応する位置にピン係合凹部２０ｃが設けられている。ピン係合凹部２０ｃは、図中下向きにピン受け口２１をあけた有底の小穴で、その穴奥に磁石４０を嵌着してなる。図示例の磁石４０は、永久磁石である。また、キャップカバー２０には、後述するとおり、それを閉めてキャップベース１５上に重ねたとき、細軸差込み穴１９の挿入口１９ａが外部に臨むように、その挿入口１９ａと対応する位置に半円凹形状の切欠き穴２０ｄが設けられている。そして、鍵錠用キャップＡは、キャップカバー２０を、回動支点の連結凹部２０ｂに支軸部１５ｃを嵌着し、キャップベース１５に対し回動可能にネジで連結してなる。
【００１５】
さて、上述した構成の鍵錠キャップＡは、組み付け時、鍵錠Ｂのシリンダ上部を嵌付凹部１５ｂに嵌め込み、キャップベース１５をシリンダ１２上にねじ止めする。そして、通常、非施解錠時は、キャップカバー２０を閉めてキャップベース１５上に重ね合わせ、鍵操作穴１６を塞いで鍵穴１３を隠している。このようにキャップカバー２０を閉めたとき、磁石４０でストッパピン３５を吸引し、頭部３５ａをピン挿通口１８を通して吸着し、ピン係合凹部２０ｃに係合させてキャップカバー２０の開閉を自動的にロックする。
【００１６】
一方、施解錠時は、キャップカバー２０を開けるときは、図４に示すように、専用の施解錠キー３０を用い、その細軸部３０ａをキャップカバー２０の切欠き穴２０ｄを通してキャップベース１５の挿入口１９ａから細軸差込み穴１９内に差し込んで係止凸部３５ｂに係止させ、ストッパピン３５を押し下げて頭部３５ａを磁石４０から離し、ピン係合凹部２０ｃとの係合を外してロック解除する。それから、キャップカバー２０を開方向に回して鍵操作穴１６を開放し、鍵穴１３を外部に臨ませる。そして、そのまま同じ専用施解錠キー３０を使って鍵錠Ｂを解錠する。しかる後、再び施錠するときは、そのまま施錠してから、キャップカバー２０を閉方向に回してキャップベース１５上に重ね合わせると、磁石４０でストッパピン３５の頭部３５ａを吸着してピン係合凹部２０ｃに係合し、自動的にキャップカバー２０がロックされる。
【００１７】
したがって、鍵錠用キャップＡにおいて、専用施解錠キー３０の保持者が施解錠操作のためにキャップカバー２０を開ける場合は、そのまま同じ専用施解錠キー３０を使って、細軸差込み穴１９に差し込んでストッパピン３５を押し下げ操作するだけで、簡単にキャップカバー２０のロック状態が解除され、キャップカバー２０を容易に開けることができる。一方、専用の施解錠キー３０を保持しない者が、ロック状態で閉止したキャップカバー２０を、不正に回して開けようとしても、到底、簡単には開けることはできない。仮に、細軸差込み穴１９に気付き、鍵錠Ｂの周辺で、外部操作部材として細いピンや軸などを手に入れ、斯かる外部操作部材を代用して、これを細軸差込み穴１９に差し込んで解除操作しない限り、キャップカバー２０を開けることはできない。そのような代用品があるという限定的な条件下で、しかも面倒で時間のかかる不正行為をしない限り、キャップカバー２０を回して開けられないので、それだけ鍵錠への悪戯を効果的に防止することができる。
【図面の簡単な説明】
【００１８】
【図１】本発明の鍵錠用キャップの一例を示す拡大縦断面図である。
【図２】鍵錠用キャップを鍵錠に取り付け状態で示す斜視図である。
【図３】鍵錠用キャップを鍵錠に取り付け状態で示す平面図である。
【図４】鍵錠用キャップの一例を、専用施解錠キーを用いてロック解除する状態において示す縦断面図である。
【図５】従来の鍵錠用キャップを示す概略説明図である。
【符号の説明】
【００１９】
Ａ          鍵錠用キャップ
Ｂ          鍵錠
１３        鍵穴
１５        キャップベース
１６        鍵操作穴
１７        ガイド穴
１８        ピン挿通穴
１９        細軸差込み穴
２０        キャップカバー
２０ｃ      ピン係合凹部
２１        ピン受け口
３０        施解錠キー
３５        ストッパピン
３５ａ      ストッパピンの頭部
３５ｂ      係止凸部
４０        磁石
【図１】
2005273189.tif 000003
【図２】
2005273189.tif 000004
【図３】
2005273189.tif 000005
【図４】
2005273189.tif 000006
【図５】
2005273189.tif 000007